(57)【要約】【課題】ピアスとして使用する場合と、イヤリングとして使用する場合のいずれにおいても、バネ力で耳たぶが痛くなるほど強く押さえなくても、耳たぶから落ちないようにしっかりと止めることのできる耳飾りを提供することである。【解決手段】装飾本体１１と、この装飾本体１１の一端側に回動可能に取り付けられるピアスピン１３と、前記装飾本体１１の他端側に設けられ前記ピアスピン１３に向かって進退動する留め具１５とを備え、前記留め具１５にはピアスピン１３の先端が差し込まれる挿入孔２２が形成されている。【選択図】　　　図１
2004081660.tif 000002
【特許請求の範囲】
【請求項１】
装飾本体と、
この装飾本体の一端側に回動可能に取り付けられるピアスピンと、
前記装飾本体の他端側に設けられ前記ピアスピンに向かって進退動する留め具とを備え、
前記留め具にはピアスピンの先端が差し込まれる挿入孔が形成されていることを特徴とする耳飾り。
【請求項２】
前記装飾本体の他端側には前記ピアスピンに向かって回転可能に腕部が取り付けられ、この腕部に設けられた中空体に前記留め具が進退動可能に支持されている請求項１記載の耳飾り。
【請求項３】
前記留め具が前記中空体に支持される軸部と、この軸部の先端に設けられ前記ピアスピンの先端を受け入れる耳押え部とを備え、この耳押え部の底部から軸部内に前記挿入孔が形成されてなる請求項１又は２記載の耳飾り。
【請求項４】
前記耳押え部がラッパ状に形成されてなる請求項３記載の耳飾り。
【発明の詳細な説明】
【０００１】
【発明の属する技術分野】
本発明は、ピアスとイヤリングの両方に使用できる耳飾りに関する。
【０００２】
【従来の技術】
従来、この種の耳飾りとしては、図６に示すようなものが知られている（特開平１１−２３５２１７参照）。この耳飾り１は、装飾本体２の上端部にピアスピン３を回転可能に軸支する一方、装飾本体２の下端部に前記ピアスピン３の先端に向かって回転可能に耳押え部４を軸支したものである。この耳押え部４にはバネ性が付与されており、耳たぶ５の後面を弾性的に押し付け、装飾本体２の上端部との間で耳たぶ５を挟み付けることができる。上記構成の耳飾り１をピアスとして使用する場合には、ピアスピン３を９０度起こしてから耳たぶ５に開けた貫通孔に差し込むと共に、耳たぶ５の後面に耳押え部４を弾性的に押し付けることでピアスピン３の抜け落ちを防止する。一方、上記の耳飾り１をイヤリングとして使用する場合には、ピアスピン３を下方側に回転させ、図６の仮想線で示したように装飾本体２の裏側に収納してから、装飾本体２の上端部に設けた耳当て部６と耳押え部４との間で耳たぶ５を弾性的に挟み付けることで耳飾り１の脱落を防止する。
【０００３】
【発明が解決しようとする課題】
しかしながら、上記従来の耳飾り１にあっては、ピアス又はイヤリングのいずれの方法で使用する場合にも、耳たぶ５を耳押え部４のバネ力で挟み付ける構造となっていた。そのために、バネ力が強すぎると耳たぶ５が痛くなって長い時間の装着に耐えられない一方、耳押え部４のバネ力を弱くすると耳飾り１が脱落し易いといった問題があった。
【０００４】
そこで、本発明の目的は、ピアスとして使用する場合と、イヤリングとして使用する場合のいずれにおいても、バネ力で耳たぶが痛くなるほど強く押さえなくても、耳たぶから落ちないようにしっかりと止めることのできる耳飾りを提供することである。
【０００５】
【課題を解決するための手段】
上記課題を解決するために、本発明の請求項１に係る耳飾りは、装飾本体と、この装飾本体の一端側に回動可能に取り付けられるピアスピンと、前記装飾本体の他端側に設けられ前記ピアスピンに向かって進退動する留め具とを備え、前記留め具にはピアスピンの先端が差し込まれる挿入孔が形成されていることを特徴とする。
【０００６】
この発明によれば、ピアスピンに向かって進退動する留め具にピアスピンの先端が差し込まれる挿入孔を形成したので、ピアスとして使用する場合にはこの挿入孔にピアスピンの先端を挿入し保持することで、ピアスピンの抜け防止が図られ、従来のようにバネ弾性によって耳たぶを強く挟み付ける必要がない。また、イヤリングとして使用する場合には留め具の締め具合を調整しながら適度の挟持力で耳たぶに装着することができる。
【０００７】
また、前記留め具は、装飾本体の他端側にピアスピンに向かって回転可能な腕部を介して取り付けられ、この腕部に設けられた中空体に進退動可能に支持されている。
【０００８】
上記のように装飾本体に回転可能な腕部に留め具を支持させることで、耳飾りを装着する時および取り外す時の取り扱いが容易となる。
【０００９】
また、前記留め具は、腕部に設けられた中空体に支持される軸部と、この軸部の先端に設けられ前記ピアスピンの先端を受け入れる耳押え部とを備え、この耳押え部の底部から軸部内に前記挿入孔が形成されてなる。
【００１０】
上記のように、留め具の軸部内にピアスピンの先端を支持するための挿入孔を形成したので、留め具の進退動の多少に応じてピアスピンの先端を挿入することができ、装着する人に応じて適宜対応することができる。
【００１１】
なお、前記耳押え部をラッパ状に形成することでピアスピンの受け入れが容易となり、挿入孔内に確実に導き入れることができる。
【００１２】
【発明の実施の形態】
以下、添付図面に基づいて本発明に係る耳飾りの実施形態を詳細に説明する。ここで、図１及び図２は本発明に係る耳飾りの斜視図と正面図であり、図３は留め具による止着手段を示す部分拡大図である。また、図４はピアスとして使用する場合の装着図であり、図５はイヤリングとして使用する場合の装着図である。
【００１３】
図１及び図２に示されるように、この実施形態に係る耳飾り１０は、金，銀，プラチナなどの貴金属からなる略Ｕ形状の装飾本体１１と、この装飾本体１１の一端部にホルダ１２を介して取り付けられるピアスピン１３と、装飾本体１１の他端部に腕部１４を介して取り付けられる留め具１５とを備えている。前記ホルダ１２は装飾本体１１の上端にろう付けされており、このホルダ１２に軸支された回転体１６にピアスピン１３の後端がろう付けされている。また、ホルダ１２の下部には一対の脚部２８が延びており、前記ピアスピン１３を脚部２８の間で回転させてガイドすると共に、耳たぶに当たる面積を大きく確保している。このようにしてピアスピン１３はホルダ１２の周りを９０度以上回転することができ、図２に示したように、装飾本体１１に対して起立させた水平位置（実線で示す）と、装飾本体１１の裏面側に倒した垂下位置（仮想線で示す）とを保持する。なお、前記装飾本体１１の上端の前面、ホルダ１２の前面および脚部２８の前面には耳当て部１７が凹凸状に形成されている。
【００１４】
一方、装飾本体１１の他端部には前記ピアスピン１３に向かって進退動する留め具１５が腕部１４を介して設けられている。腕部１４は装飾本体１１の下端部に回転可能に軸支され、装飾本体１１との間に設けられた板バネ２７によって前記ピアスピン１３に向かって弾性的に回転し、図２に示したように、装飾本体１１からそのまま直立する装着位置（実線で示す）と、後方に倒れる退避位置（仮想線で示す）とを取りうる。また、腕部１４の上端には中空体１８がろう付けされ、この中空体１８に留め具１５が進退動可能に支持されている。なお、図３に示すように、中空体１８の内周面には雌ねじが形成されている。
【００１５】
前記中空体１８に支持された留め具１５は、外周に雄ねじが形成された軸部１９と、その軸部１９の先端に設けられた耳押え部２０と、軸部１９の後端に取り付けられたつまみ部２１とで構成される。すなわち、留め具１５は前記軸部１９の雄ねじと中空体１８の雌ねじとの噛み合いによって支持され、前記軸部１９を正回転又は逆回転することでピアスピン１３に向かって進退動可能であり、後端のつまみ部２１を回すことで進退動が実行される。また、図３に示したように、前記軸部１９の内部には軸方向に沿って真っ直ぐに延びる挿入孔２２が形成されている。この挿入孔２２の内径はピアスピン１３の直径より多少大きく、ピアスピン１３の挿入を可能としている。
【００１６】
前記耳押え部２０はラッパ状に形成されており、内部がすり鉢状になっている。そして、内部中央の底部には前記軸部１９に設けられた挿入孔２２の開口が形成されている。また、耳押え部２０の上縁部２４は外側に少し折り返すことで丸みが形成されている。
【００１７】
このような構成からなる耳飾り１０にあっては、図２及び図３に示したように、ピアスピン１３を起立させて水平位置に保持させる一方、耳押え部２０が中空体１８に当接する位置まで留め具１５の軸部１９を後退させ、その状態で腕部１４をピアスピン１３側に向けて装着位置まで回転させると、留め具１５とピアスピン１３とが同一線上で対向し、ピアスピン１３の先端が耳押え部２０の内部に入り込んで前記挿入孔２２の開口付近に位置する。即ち、耳押え部２０の内部がすり鉢状になっているので、腕部１４を起こした時にピアスピン１３の先端が耳押え部２０の底部にガイドされ易くなっている。この状態でつまみ部２１を回して留め具１５をピアスピン１３に向かって前進させると、ピアスピン１３の先端が軸部１９に設けられた挿入孔２２内に進入することで、図３において仮想線で示した位置への留め具１５の前進移動を可能とし、ピアスピン１３の先端が軸部１９によって保持されることになる。
【００１８】
次に、上記耳飾り１０の２通りの使用方法について説明する。先ず、ピアスとして使用する場合を図４に基づいて説明する。前述したように、ピアスピン１３をホルダ１２の脚部２８の間を回転させて水平に保持する一方、耳押え部２０が中空体１８に当接する位置まで留め具１５の軸部１９を後退させた状態で腕部１４を後方に倒して退避させておく。その状態で耳たぶ２５に設けられた貫通孔２６にピアスピン１３を耳たぶ２５の前面から差し込み先端を貫通させる。次いで、上述したように腕部１４をピアスピン１３側に向けて装着位置まで起こし、ピアスピン１３の先端を耳押え部２０内に受け入れる。そして、留め具１５のつまみ部２１を回して軸部１９を前進させ、ピアスピン１３の先端を軸部１９の挿入孔２２内に進入させると同時に、耳押え部２０の上縁部２４を耳たぶ２５の後面に軽く当てる。
【００１９】
このように、耳飾り１０をピアスとして使用する場合にはピアスピン１３の先端が留め具１５の挿入孔２２内に進入することで保持されるために、ピアスピン１３が耳たぶ２５の貫通孔２６から抜け落ちてしまうといったことがない。また、この場合には耳たぶ２５が痛くなるほど留め具１５で締め付ける必要がないので長い時間での装着も苦にならない。
【００２０】
一方、上記の耳飾り１０をイヤリングとして使用する場合には、先ずピアスピン１３を下方側に回転させ、装飾本体１１の裏面側に垂下させて収納する。次いで、前述と同様に留め具１５の軸部１９を後退させた状態で腕部１４を倒しておき、その状態で耳たぶ２５に挟み込む。そして、後は通常のスクリュー式の留め具と同様、図５に示したように、装飾本体１１の軸部１９を前進させて耳押え部２０の上縁部２４で耳たぶ２５の後面を押し当てて締め付け、この耳押え部２０と装飾本体１１側の耳当て部１７との間で耳たぶ２５を挟持する。耳押え部２０の締め付け強さはつまみ部２１を回すことによって適宜調整可能であるが、この実施形態ではホルダ１２の下部に脚部２８を延ばして耳当て部１７を広く確保し、耳たぶ２５の締め付け位置がずれることなく、同じ位置を前後から耳押え部２０と耳当て部１７とで締め付けているので、それ程きつく締め付けなくても耳飾り１０が耳たぶ２５から外れるようなことはない。
【００２１】
【発明の効果】
以上説明したように、本発明に係る耳飾りによれば、ピアスピンに向かって進退動する留め具にピアスピンの先端が差し込まれる挿入孔を形成したので、ピアスとして使用する場合にはこの挿入孔にピアスピンの先端を進入させて保持することで、ピアスピンの抜け防止が有効に図られ、従来のようにバネ弾性によって耳たぶを強く挟み付ける必要がない。また、イヤリングとして使用する場合には通常の留め具と同様、留め具の締め付け具合を調整しながら耳たぶを適度に締め付けることができる。
【図面の簡単な説明】
【図１】本発明に係る耳飾りの斜視図である。
【図２】本発明に係る耳飾りの正面図である。
【図３】留め具とピアスピンとの止着手段を示す部分拡大図である。
【図４】本発明の耳飾りをピアスとして使用する場合の装着図である。
【図５】本発明の耳飾りをイヤリングとして使用する場合の装着図である。
【図６】従来の耳飾りの一例を示す正面図である。
【符号の説明】
１０　耳飾り
１１　装飾本体
１３　ピアスピン
１４　腕部
１５　留め具
１７　耳当て部
１８　中空体
１９　軸部
２０　耳押え部
２２　挿入孔
【図１】
2004081660.tif 000003
【図２】
2004081660.tif 000004
【図３】
2004081660.tif 000005
【図４】
2004081660.tif 000006
【図５】
2004081660.tif 000007
【図６】
2004081660.tif 000008